(57)【特許請求の範囲】
【請求項１】
レンズアセンブリ、
ベース、
前記ベースに対応して前記レンズアセンブリが移動するように配置されるレンズ駆動アセンブリ、
前記レンズ駆動アセンブリを囲むハウジング、
前記ハウジングに前記ベースを連結するように配置された中間部材、および
前記ハウジングに面した前面と、前記前面に対して０度より大きい角度をなすように形成された挟持面を有し、前記ベースに配置される固定用部材、を含み、
前記中間部材の一部が前記挟持面に配置され、
前記固定用部材は、前記前面に対向する後面を更に含み、
前記前面と前記後面は貫通孔によって貫通されており、
前記挟持面は、前記貫通孔の内壁に配置され、前記中間部材は、前記挟持面と前記前面とを連結するレンズ駆動モジュール。
【請求項２】
前記貫通孔の前記内壁は、第１のセグメントと、前記第１のセグメントより前記ベースの近くに配置された第２のセグメントを含み、
前記挟持面は、前記第１のセグメントに配置され、前記中間部材によってカバーされ、前記第２のセグメントは、前記ベースによってカバーされる請求項１に記載のレンズ駆動モジュール。
【請求項３】
前記ベースは、前記固定部材が配置される実装面を含み、
前記固定用部材は、前記貫通孔の全体が形成される係合部、および
前記実装面の下方に配置され、前記係合部に連結された接合部を含み、前記固定用部材は、前記接合部を介して前記ベースに固定される請求項１に記載のレンズ駆動モジュール。
【請求項４】
レンズアセンブリ、
ベース、
前記ベースに対応して前記レンズアセンブリが移動するように配置されるレンズ駆動アセンブリ、
前記レンズ駆動アセンブリを囲むハウジング、
前記ハウジングに前記ベースを連結するように配置された中間部材、および
前記ハウジングに面した前面と、前記前面に対して０度より大きい角度をなすように形成された挟持面を有し、前記ベースに配置される固定用部材、を含み、
前記中間部材の一部が前記挟持面に配置され、
前記ベースは、側面を含み、前記側面は、前記固定用部材の前記前面に隣接し、前記固定用部材の前記前面と同一平面に配置されるレンズ駆動モジュール。
【請求項５】
レンズアセンブリ、
ベース、
前記ベースに対応して前記レンズアセンブリが移動するように配置されるレンズ駆動アセンブリ、
前記レンズ駆動アセンブリを囲むハウジング、
前記ハウジングに前記ベースを連結するように配置された中間部材、および
前記ハウジングに面した前面と、前記前面に対して０度より大きい角度をなすように形成された挟持面を有し、前記ベースに配置される固定用部材、を含み、
前記中間部材の一部が前記挟持面に配置され、
前記ベースの２つの側面にそれぞれ配置される２つの固定用部材を含み、
前記２つの側面は、前記レンズアセンブリの光軸に垂直な方向に配置されているレンズ駆動モジュール。
【請求項６】
レンズアセンブリ、
ベース、
前記ベースに対応して前記レンズアセンブリが移動するように配置されるレンズ駆動アセンブリ、
前記レンズ駆動アセンブリを囲むハウジング、
前記ハウジングに前記ベースを連結するように配置された中間部材、および
前記ハウジングに面した前面と、前記前面に対して０度より大きい角度をなすように形成された挟持面を有し、前記ベースに配置される固定用部材、を含み、
前記中間部材の一部が前記挟持面に配置され、
前記ハウジングは、前記ベースの材料とは異なる材料でできており、前記中間部材と前記固定用部材間の接合力は、前記中間部材と前記ベース間の接合力より大きいレンズ駆動モジュール。
【請求項７】
前記ベースは、側面を含み、前記側面は、前記固定用部材の前記前面に隣接し、前記固定用部材の前記前面と同一平面に配置される請求項１、５、６のいずれかに記載のレンズ駆動モジュール。
【請求項８】
前記ハウジングは、前記固定用部材の前記挟持面に面した実装孔を含み、前記中間部材は、前記実装孔から前記挟持面に連続して延伸する請求項１、４、５、６のいずれかに記載のレンズ駆動モジュール。
【請求項９】
前記ベースの２つの側面にそれぞれ配置される２つの固定用部材を含み、
前記２つの側面は、前記レンズアセンブリの光軸に垂直な方向に配置されている請求項１、４、６のいずれかに記載のレンズ駆動モジュール。
【請求項１０】
前記固定用部材は、
第１のセグメント、および
前記第１のセグメントに連結され、前記第１のセグメントに対して０度より大きい角度をなすように形成された第２のセグメントを含み、
前記前面が前記第１のセグメントの端面に配置され、前記挟持面が前記第１のセグメントの底面に配置される請求項１、４、５、６のいずれかに記載のレンズ駆動モジュール。
【請求項１１】
前記ハウジングは、前記ベースの材料とは異なる材料でできており、前記中間部材と前記固定用部材間の接合力は、前記中間部材と前記ベース間の接合力より大きい請求項１、４、５のいずれかに記載のレンズ駆動モジュール。
【請求項１２】
前記中間部材は、接着剤を含む請求項１、４、５、６のいずれかに記載のレンズ駆動モジュール。
【発明の詳細な説明】
【技術分野】
【０００１】
本出願は、２０１６年６月３日に出願された台湾特許出願番号第１０５１１７５１４号、２０１５年１２月１日に出願された台湾特許出願番号第１０４１４００４６号についての優先権を主張するものであり、これらの全ては引用によって本願に援用される。
【０００２】
本発明は、駆動モジュールに関し、特に、電気エネルギーを機械エネルギーに変換する電磁駆動アセンブリを含むレンズ駆動モジュールに関するものである。
【背景技術】
【０００３】
いくつかの電子装置は、構成要素を駆動して一定の距離を移動させる駆動モジュールを備えている。例えば、画像取込機能を有する電子装置は、通常、駆動モジュールを含んで駆動電力を発生させる。電子装置の１つ以上の光学レンズユニットは、駆動電力によって駆動され、光軸に沿って移動し、オートフォーカスとオートズームの機能を達成している。
【０００４】
従来のレンズ駆動モジュールは、通常、ベースおよびハウジングを含み、ベースおよびハウジングによって空間が定義され、他の構成要素を収容する。ベースは、接着剤によってハウジングに接合される。しかしながら、接着剤は、ベースをハウジングに安定して接合させることができず、衝撃を受けたとき、ベースは、ハウジングから容易に分離する。また、ベースをハウジングに接合するために、ベースに、接着剤を受ける凹部が形成される。しかしながら、凹部の形成は厚みを持たせ、ベースのサイズを増加させる。
【０００５】
従って、小型且つ構造強度に優れた駆動モジュールを開発することが望ましい。
【先行技術文献】
【特許文献】
【０００６】
特開２００９−２５１０３１
【発明の概要】
【発明が解決しようとする課題】
【０００７】
従って、本発明の1つの課題は、薄型化且つ安定した構造を有するレンズ駆動モジュールを提供することである。
【課題を解決するための手段】
【０００８】
本発明の一部の実施形態に係る、レンズ駆動モジュールは、レンズアセンブリ、ベース、レンズ駆動アセンブリを含み、ベースに対応してレンズアセンブリが移動するように配置されるレンズ駆動アセンブリ、レンズ駆動アセンブリを囲むハウジング、ハウジングにベースを連結するように配置された中間部材、およびベースに配置され、ハウジングに面した前面と前面に対して０度より大きい角度をなすように形成された挟持面を有し、中間部材の一部が挟持面に配置された固定用部材を含む。
【０００９】
一部の実施形態では、固定用部材は、ハウジングに面した前面と前面に対向する後面、および前面と後面を貫通する貫通孔を有し、貫通孔は、前面と後面を貫通し、中間部材は、貫通孔の端部と前面を連結する。
【００１０】
一部の実施形態では、貫通孔の端部は、第１のセグメントと第１のセグメントよりベースの近くに配置された第２のセグメントを含み、第１のセグメントは、中間部材によってカバーされ、第２のセグメントは、ベースによってカバーされる。
【００１１】
いくつかの実施形態では、ベースは、実装面を含み、固定用部材は、係合部と接合部を含む。係合部は、実装面に配置される。貫通孔の全体は、係合部の上に形成される。実装面の下方に配置された接合面は、係合部に連結される。固定用部材は、接合部を介してベースに固定される。
【００１２】
一部の実施形態では、固定用部材は、前面を含み、貫通孔は、前面に形成され、ベースは、前面に隣接する側面を含み、固定用部材の前面は、ベースの側面と同一平面に配置される。
【００１３】
一部の実施形態では、ハウジングは、固定用部材の貫通孔に面した実装孔を含み、中間部材は、実装孔から貫通孔に連続して延伸する。
【００１４】
一部の実施形態では、レンズ駆動モジュールは、ベースの２つの側面にそれぞれ配置された２つの固定用部材を含み、２つの側面は、レンズアセンブリの光軸に垂直な方向で配置される。
【００１５】
一部の実施形態では、固定用部材は、第１のセグメント、および第１のセグメントに連結し、第１のセグメントに対して０度より大きい角度を成すように形成された第２のセグメントを含み、前記前面が第２のセグメントの端面に配置され、挟持面が第２のセグメントの底面に配置されている。
【００１６】
一部の実施形態では、ハウジングは、ベースの材料とは異なる材料でできており、中間部材と固定用部材間の接合力は、中間部材とベース間の接合力より大きい。
【００１７】
一部の実施形態では、中間部材は、接着剤を含む。
【図面の簡単な説明】
【００１８】
添付の図面とともに以下の本発明の様々な実施形態の詳細な説明を検討することで、本発明はより完全に理解できる。
【図１】本発明の一部の実施形態に係る、レンズ駆動モジュールの概略図を示している。
【図２】本発明の一部の実施形態に係る、レンズ駆動モジュールの一部の構成要素の概略図を示している。
【図３】本発明の一部の実施形態に係る、ベースに接合した固定用部材の概略図を示している。
【図４】本発明の一部の実施形態に係る、ベースに接合した固定用部材の概略図を示している。
【図５】本発明の一部の実施形態に係る、レンズ駆動モジュールを組み立てる方法の概略図を示している。
【図６】本発明の一部の実施形態に係る、レンズ駆動モジュールの概略図を示している。
【図７】本発明の一部の実施形態に係る、レンズ駆動モジュールの概略図を示している。
【図８】本発明の一部の実施形態に係る、ベースに接合した固定用部材の概略図を示している。
【図９】本発明の一部の実施形態に係る、ベースに接合した固定用部材の概略図を示している。
【図１０】本発明の一部の実施形態に係る、固定用部材およびベースの分解図を示している。
【図１１】本発明の一部の実施形態に係る、ベースに接合した固定用部材の概略図を示している。
【図１２】本発明の一部の実施形態に係る、ベースに接合した固定用部材の概略図を示している。
【図１３】本発明の一部の実施形態に係る、ベースに接合した固定用部材の概略図を示している。
【図１４】本発明の一部の実施形態に係る、ベースに接合した固定用部材の概略図を示している。
【図１５】本発明の一部の実施形態に係る、ベースに接合した固定用部材の概略図を示している。
【発明を実施するための形態】
【００１９】
以下の発明を実施するための形態では、説明のために、多数の特定の詳細および実施形態が本開示の完全な理解を提供するために明記されている。以下の発明を実施するための形態で説明された特定の構成要素および構造は、本開示を明瞭に説明するために記述されている。しかしながら、本明細書で記述される例示的な実施形態は、単に説明のために用いられることは明らかであり、発明の概念は、これらの例示的な実施形態に限定されることなく、種々の形態で実施することができる。また、異なる実施形態の図面では、本開示を明瞭に説明するために、類似の番号および／または対応の番号を用いて、類似の構成要素および／または対応の構成要素を示すことができる。しかしながら、異なる実施形態の図面では、類似の番号および／または対応の番号の使用は、異なる実施形態間の相関関係を示唆するものではない。また、この明細書では、例えば、「第２の材料層上／第２の材料層の上方に配置された」などの表現は、第１の材料層および第２の材料層の直接接触の状況を含む。または1つ以上の他の材料層との離間状態も含むことができる。上述の状況では、第１の材料層と第２の材料層との間は直接接触しなくてもよい。
【００２０】
本開示の図面の構成要素または装置は、当業者に公知のどんな形式または構成にも存在することができるということが留意されるべきである。また、「もう１つの層を覆う（ｏｖｅｒｌｙｉｎｇ）層」、「層はもう１つの層の上方（ａｂｏｖｅ）に配置される」、「層はもう１つの層上（ｏｎ）に配置される」、および「層はもう１つの層の上方（ｏｖｅｒ）に配置される」などの表現は、層がもう１つの層と直接接触することを指すだけでなく、層がもう１つの層とは直接接触せず、層ともう１つの層との間に配置された１つ以上の中間層があることも指すことができる。
【００２１】
また、この明細書では、関連する表現が用いられる。例えば、「より低い」、「底部」、「より高い」、または「上部」は、もう１つに対する１つの構成要素の位置を説明するのに用いられる。仮に装置が上下反転された場合、「より低い」側の構成要素は、「より高い」側の構成要素となる、ということが了解されるべきである。
【００２２】
用語「約」および「大抵」は、一般的に、所定値の＋／−２０％を意味し、より一般的に、所定値の＋／−１０％を意味し、さらにより一般的に、所定値の＋／−５％を意味する。本開示の所定値は、近似値である。特定の説明がないとき、所定値は、「約」または「大抵」の意味を含む。
【００２３】
図１は、本発明の一部の実施形態に係る、レンズ駆動モジュール１の概略図を示している。
【００２４】
一部の実施形態では、レンズ駆動モジュール１は、ボイスコイルモータ（ＶＣＭ）であり、ハウジング１０、上スプリングシート１２、レンズ鏡筒１４、レンズ駆動アセンブリ１５、下スプリングシート２０、ベース２２、固定用部材２４、およびレンズアセンブリ３０を含む。レンズ駆動モジュール１の構成要素は、追加または省略されることができ、本実施形態によって限定されるものではない。
【００２５】
一部の実施形態では、ハウジング１０は、上部ハウジング部材１０１および１つ以上の側部ハウジング部材１０２を含む。上部ハウジング部材１０１は、開口１０３によって貫通される。側部ハウジング部材１０２は、上部ハウジング部材１０１の端部からベース２２に向けて延伸し、ベース２２に連結する。上スプリングシート１２、レンズ鏡筒１４、レンズ駆動アセンブリ１５、および下スプリングシート２０は、ハウジング１０およびベース２２によって定義された空間に配置される。
【００２６】
上スプリングシート１２および下スプリングシート２０は、レンズ鏡筒１４を支持するように配置される。レンズ鏡筒１４は、垂直方向（Ｚ軸方向）に移動可能な方式でハウジング１０およびベース２２によって定義された空間に吊設される。レンズ鏡筒１４は、通路１４０によって貫通され、レンズアセンブリ３０などの構成要素を支持するように配置される。
【００２７】
レンズ駆動アセンブリ１５は、ベース２２に対応してレンズアセンブリ３０が移動するように配置される。一部の実施形態では、レンズ駆動アセンブリ１５は、複数の磁性素子１６（例えば２つの磁性素子１６）、およびコイルアセンブリ１８を含む。コイルアセンブリ１８は、レンズ鏡筒１４の外表面を囲む環状構造である。コイルアセンブリ１８は、電流を受けるように配置され、磁場を生成して、ハウジング１０とベース２２に対してレンズ鏡筒１４を移動させる。一部の実施形態では、下スプリングシート２０は、外部回路に電気的に接続され、コイルアセンブリ１８は、下スプリングシート２０に電気的に接続される。外部回路からの電流は、端子と下スプリングシート２０を介してコイルアセンブリ１８に伝送される。
【００２８】
２つの磁性素子１６は、ハウジング１０の側部ハウジング部材１０２に配置され、コイルアセンブリ１８に対向する。レンズ駆動モジュール１の動作では、レンズ鏡筒１４は、２つの磁性素子１６とコイルアセンブリ１８の磁場によって、垂直方向（Ｚ軸方向）に沿って移動するように安定して駆動される。従って、レンズ鏡筒１４の制御精度が向上される。しかしながら、理解すべきことは、本実施形態は、２つの磁性素子１６の位置を限定するものではなく、レンズ鏡筒１４が磁力によって安定して駆動されることができるならば、磁性素子１６の位置を変えることができるということである。一部の実施形態では、コイルアセンブリ１８は、側部ハウジング部材１０２の上に配置され、磁性素子１６は、レンズ鏡筒１４の上に配置され、コイルアセンブリ１８に対向する。また、磁石等で構成される磁性素子１６の数は、需要に応じて調整されることができ、上述の実施形態に限定されるものではない。一部の実施形態では、レンズ駆動アセンブリ１５は、４つの磁性素子１６を含む。
【００２９】
一部の実施形態では、ハウジング１０は、ヨークであり、２つの磁性素子１６は、レンズ鏡筒１４に対向する側部ハウジング部材１０２の内表面上に直接付着される。従って、２つの磁性素子１６の組み立てのプロセスは、簡易化されることができる。一部の実施形態では、ハウジング１０は、樹脂からなり、２つの磁性素子１６は、中間部材５０（図２）によって側部ハウジング部材１０２の上に固定される。２つの磁性素子１６を組み立てる方法は、以下に説明される。
【００３０】
一部の実施形態では、ベース２２は、本体２２２および延伸部２２４を含む。本体２２２は、長方形を有し、本体２２２は、開口２２３で貫通される。２つの延伸部２２４は、本体２２２の２つの側面２２０に隣接してそれぞれ形成される。２つの延伸部２２４は、本体２２２から上部ハウジング部材１０１に向けて突出する。ベース２２は、樹脂またはその他の適切な材料からなることができる。なお、図１では、中間部材５０は、図示を省略している。
【００３１】
図２は、一部の実施形態に係る、レンズ駆動モジュール１の一部の構成要素の概略図を示している。図１と図２に示すように、一部の実施形態では、２つの固定用部材２４は、２つの延伸部２２４にそれぞれ配置される。各固定用部材２４は、前面２４０および前面２４０と反対側に位置する後面２４１を有する。各固定用部材２４の前面２４０および後面２４１は、２つの貫通孔２４２（図２には１つの貫通孔２４２のみ図示されている）によって貫通される。貫通孔２４２の内壁は、前面２４０および後面２４１に垂直である。図２に示す実施形態では、貫通孔２４２の内壁の一部が、固定用部材２４の挟持面となる。しかしながら、本発明は、これに限定されるものではなく、貫通孔２４２の内壁は、前面２４０または後面２４１に対して９０度より大きい、または小さい角度で形成されることができる。２つの固定用部材２４は、金属、樹脂、または他の材料からなることができる。
【００３２】
図３に示すように、一部の実施形態では、各固定用部材２４の２つの貫通孔２４２は、離隔して配置される。また、２つの貫通孔２４２は、各固定用部材２４の対向する両側に隣接してそれぞれ配置される。即ち、貫通孔２４２と固定用部材２４の中心との間の距離は、貫通孔２４２と固定用部材２４の隣辺との間の距離より大きいため、構造強度を向上させる。なお、図３は、図２に示す固定用部材２４とベース２２とを、Ｘ軸正方向側から見た図である。
【００３３】
一部の実施形態では、図３に示されるように、各貫通孔２４２は、密閉構造の円形で形成されているが、本発明は、これに限定されるものではない。貫通孔２４２は、他の形状に形成されることもでき、および／または貫通孔２４２は、開放構造に形成されることもできる。例えば、図４に示されるように、固定用部材２４ａは、ベース２２ａの上に配置され、固定用部材２４ａの上に形成された２つの貫通孔２４２ａは、開放構造の弧状を有する。
【００３４】
留意すべきことは、図３および図４に示された実施形態では、単一の固定用部材に形成された２つの貫通孔は、同じ形状および同じサイズを有するが、２つの貫通孔の形状およびサイズは、異なることもできることである。また、貫通孔の数は、１つ、２つ、または２つ以上であることもできる。
【００３５】
続いて図３に示すように、いくつかの実施形態では、固定用部材２４は、インサート成形技術によってベース２２の延伸部２２４の上に形成される。固定用部材２４の一部は、ベース２２の延伸部２２４内に挿入され、固定用部材２４の他の部分は、ベース２２の延伸部２２４によって露出される。具体的に言えば、図３に示されるように、貫通孔２４２の内壁は、第１のセグメント２４２１と第２のセグメント２４２２を含む。貫通孔２４２の第２のセグメント２４２２は、ベース２２でカバーされ、貫通孔２４２の第１のセグメント２４２１は、ベース２２によって露出される。
【００３６】
また、図２に示されるように、固定用部材２４の前面２４０は、側部ハウジング部材１０２に隣接するベース２２の側面２２０と同一平面に配置される。前面２４０は、固定用部材２４でカバーされず、ベース２２の外側に露出される。この特徴の利点は、後に説明される。
【００３７】
留意すべきことは、延伸部２２４は、固定用部材２４の上に配置されるが、本発明は、これを限定するものではないことである。一部の他の図示されていない実施形態では、延伸部は、省かれている。固定用部材２４は、本体２２２の側面の上に直接配置される。また、１つまたは２つ以上の固定用部材２４であることができる。また、固定用部材２４が配置されている位置は、変えることができ、ベース２２の対向する２つの側面に配置されることに限定されるものではない。
【００３８】
図５は、レンズ駆動モジュール１の部分素子を組み立てる方法の概略図を示している。いくつかの実施形態では、磁性素子１６とベース２２は、以下に説明されるステップに基づいて、ハウジング１０に連結される。まず、中間部材５０が磁性素子１６および／または側部ハウジング部材１０２の内表面１０５に提供される。次いで、磁性素子１６が側部ハウジング部材１０２の内表面１０５に配置される。このとき、磁性素子１６の下端部（ベース２２が接合されている位置に近い端部）は、中間部材５０に連結される。一部の実施形態では、磁性素子１６をハウジング１０に連結するステップは、省略される。中間部材５０は、側部ハウジング部材１０２の内表面上に直接提供される。
【００３９】
次いで、固定用部材２４が配置されているベース２２をハウジング１０の下方から図５に示された矢印６方向に沿ってハウジング内に挿入する。このとき、図５に示されるように、ベース２２の側面２２０および固定用部材２４の前面２４０は、側部ハウジング部材１０２の内表面１０５との間に間隙Ｇを有し、緊密に接合されていない。従って、ベース２２がハウジング１０内に挿入されるとき、中間部材５０は、毛細管現象により間隙Ｇに流入する。中間部材５０は、側面２２０、前面２４０、および内表面１０５と接触している。間隙Ｇの幅は、約０．１ｍｍから約０．２ｍｍの範囲にあることができる。
【００４０】
図２に示されるように、ベース２２がハウジング１０に配置されたとき、中間部材５０の一部は、貫通孔２４２に流入し、貫通孔２４２の内壁の第１のセグメント２４２１をカバーする。中間部材５０は、貫通孔２４２の内壁を固定用部材２４の前面２４０に連結する。また、中間部材５０の一部は、固定用部材２４の後面２４１をカバーする。中間部材５０は、貫通孔２４２の内壁を固定用部材２４の後面２４１に連結する。
【００４１】
次いで、中間部材５０は、硬化される。一部の実施形態では、中間部材５０は、樹脂などの熱硬化性接着剤である。中間部材５０は、高温で硬化される。一部の別の実施形態では、中間部材５０は、アクリル接着剤を含み、光を投射する、または湿り空気を供給することによって硬化される。固定用部材２４の前面２４０が、ハウジング部１０における側部ハウジング部材１０２の内表面１０５に面した状態で、ベース２２とハウジング１０とが固定される。
【００４２】
図２に示されるように、中間部材５０の硬化後、ベース２２の側面２２０と固定用部材２４の前面２４０は、中間部材５０によって側部ハウジング部材１０２の内表面に安定して接合される。いくつかの実施形態では、中間部材５０と金属製の固定用部材２４間の接合力は、中間部材５０とプラスチック製のベース２２間の接合力より大きい。従って、ベース２２は、ベース２２の厚さが減少（即ち、ベース２２の接触面積が減少）されても、ハウジング１０に強固に接合されたままであることができる。
【００４３】
また、図２に示されるように、中間部材５０の硬化後、貫通孔２４２を通過する中間部材５０の一部は、フックとして機能し、ベース２２とハウジング１０間の接合強度を増加させる。従って、レンズ駆動モジュール１が衝撃を受けたとき、ベース２２がハウジング１０から分離される、またはハウジング１０とオフセットする状態が生じるのを回避することができる。
【００４４】
いくつかの実施形態では、中間部材５０と固定用部材２４の接合関係は、中間部材５０が供給された量、中間部材５０の粘度、または間隙Ｇの幅に関連して変わる。従って、中間部材５０および固定用部材２４の接合関係は、上述の実施形態に限定されるものではない。
【００４５】
例えば、図６に示されるように、固定用部材２４の貫通孔２４２は、貫通孔２４２によって完全に充填されず、後面２４１に隣接する内壁の第１のセグメント２４２１の領域は、中間部材５０でカバーされない。図６に示す実施形態では、固定用部材２４の挟持面は、中間部材５０でカバーされた内壁の第１のセグメント２４２１で定義される。中間部材５０は、固定用部材２４の挟持面と固定用部材２４の前面２４０とを連結する。ベース２２は、固定用部材２４と側部ハウジング部材１０２の間の中間部材５０、および貫通孔２４２に充填された中間部材５０によってハウジング１０に接合される。
【００４６】
いくつかの実施形態では、中間部材５０でカバーされた内壁のセグメントは、第１のセグメント２４２１と呼ばれ、ベース２２でカバーされた内壁のセグメントは、第２のセグメント２４２２と呼ばれる。第１のセグメント２４２１は、第２のセグメント２４２２に直接接続されることができる。また、第１のセグメント２４２１は、第２のセグメント２４２２と分離されることができる。例えば、図３に示された実施形態では、第１のセグメント２４２１は、第２のセグメント２４２２に直接接合されることができる。第１のセグメント２４２１の２つの端部は、第２のセグメント２４２２の２つの端部とそれぞれ重なる。図６に示された実施形態では、第１のセグメント２４２１は、第２のセグメント２４２２から分離される。第１のセグメント２４２１の２つの端部は、第２のセグメント２４２２の２つの端部と重ならない。
【００４７】
図７は、別の実施形態に係る、レンズ駆動モジュールの部分素子の概略図を示している。図７に示された実施形態では、図２に示された構成要素と類似した構成要素は、同じ参照番号が提供され、且つその特徴は、説明を簡易にするために再度述べられない。レンズ駆動モジュール１ｂとレンズ駆動モジュール１の間の違いは、ベース２２ｂによって置き換えられたベース２２、および固定用部材２４ｂによって置き換えられた固定用部材２４を含む。
【００４８】
いくつかの実施形態では、ベース２２ｂは、本体２２２ｂとブロック板２２６ｂを含む。ブロック板２２６ｂは、本体２２２ｂから上方に延伸し、ベース２２ｂの側面２２０から離間される。側面２２０ｂは、側部ハウジング部材１０２に隣接して配置される。実装面２２７ｂは、ブロック板２２６ｂと側面２２０ｂとを接続し、固定用部材２４ｂは、実装面２２７ｂの上に配置される。一部の実施形態では、実装面２２７ｂの幅は、固定用部材２４ｂの厚さと同じである。固定用部材２４ｂの後面２４１ｂは、ブロック板２２６ｂに面し、固定用部材２４ｂの前面２４０ｂは、側面２２０ｂと同一平面に配置される。
【００４９】
図８に示すように、一部の実施形態では、固定用部材２４ｂは、係合部２４３ｂと、係合部２４３ｂに接続する接合部２４５ｂを含む。固定用部材２４ｂの前面と後面は、２つの貫通孔２４２ｂによって貫通される。
【００５０】
一部の実施形態では、固定用部材２４ｂの２つの貫通孔２４２ｂは、互いに離間されている。各貫通孔２４２ｂは、密閉構造の円形で形成されているが、本発明は、これに限定されるものではない。貫通孔２４２ｂは、他の形状に形成されることもでき、および／または貫通孔２４２ｂは、開放構造に形成されることもできる。例えば、貫通孔２４２ｂは、図４に示された貫通孔２４２に類似の開放構造の弧状を有することができる。
【００５１】
接合部２４５ｂは、係合部２４３ｂに連結され、ベース２２ｂと係合されるように配置される。一部の実施形態では、接合部２４５ｂは、三角形の断面を有し、ベース２２ｂは、接合部２４５ｂに対応して形成された挿通溝２２８ｂを含む。固定用部材２４ｂがベース２２ｂに接続されたとき、接合部２４５ｂは、挿通溝２２８ｂ内に緊密に配置される。固定用部材２４ｂがベース２２ｂに接合された後、係合部２４３ｂは、実装面２２７ｂの上に配置され、接合部２４５ｂは、実装面２２７ｂの下方に配置される。係合部２４３ｂは、ベース２２ｂでカバーされず、貫通孔２４２ｂの内壁は、ベース２２ｂでカバーされない。
【００５２】
図７に示されるように、ベース２２ｂがハウジング１０内に挿入されるとき、中間部材５０の一部は、毛細管現象により固定用部材２４ｂと側部ハウジング部材１０２の間の間隙Ｇに流入する。中間部材５０は、側面２４０ｂと内表面１０５に接触している。また、中間部材５０の他の部分は、間隙Ｇを介して貫通孔２４２ｂに流入し、貫通孔２４２ｂの内壁をカバーする。中間部材５０は、貫通孔２４２ｂの内壁を固定用部材２４ｂの前面２４０ｂに連結する。固定用部材２４ｂと中間部材５０により、ベース２２ｂとハウジング１０は、互いに強固に接合される。従って、衝撃を受けたとき、ハウジング１０から分離されるベース２２ｂの問題が回避され得る。
【００５３】
図９は、別の実施形態に係る、ベース２２ｃに接合した固定用部材の概略図を示している。図９に示された実施形態では、図８に示された構成要素と類似する構成要素は、同じ参照番号が提供され、且つその特徴は、説明を簡易にするために再度述べられない。
【００５４】
一部の実施形態では、固定用部材２４ｃは、係合部２４３ｃと、係合部２４３ｃに接続する接合部２４５ｃを含む。固定用部材２４ｃの前面と後面は、２つの貫通孔２４２ｃによって貫通され、各貫通孔２４２ｃの内壁は、固定用部材２４ｃの前面および後面と垂直である。固定用部材２４ｃの２つの貫通孔２４２ｃは、互いに離間されている。各貫通孔２４２ｃは、密閉構造の円形で形成されているが、本発明は、これに限定されるものではない。貫通孔２４２ｃは、他の形状に形成されることもでき、および／または貫通孔２４２ｃは、開放構造に形成されることもできる。例えば、貫通孔２４２ｃは、図４に示された貫通孔２４２に類似の開放構造の弧状を有することができる。
【００５５】
接合部２４５ｃは、係合部２４３ｃに連結され、ベース２２ｃと係合されるように配置される。一部の実施形態では、接合部２４５ｂは、長方形の断面を有する。固定用部材２４ｄをベース２２ｄに接合するとき、接合部２４５ｃは、インサート成形技術によってベース２２ｃ内に挿入される。固定用部材２４ｃがベース２２ｃに接合された後、係合部２４３ｃは、実装面２２７ｃの上に配置され、接合部２４５ｃは、実装面２２７ｃの下方に配置される。係合部２４３ｃは、ベース２２ｃでカバーされず、貫通孔２４２ｃの内壁は、ベース２２ｃでカバーされない。
【００５６】
図１０は、別の実施形態に係る、ベース２２ｄに接続した固定用部材２４ｄの概略図を示している。図１０に示された実施形態では、図８に示された構成要素と類似する構成要素は、同じ参照番号が提供され、且つその特徴は、説明を簡易にするために再度述べられない。
【００５７】
一部の実施形態では、固定用部材２４ｄは、係合部２４３ｄと係合部２４３ｄと接合する接合部２４５ｄを含む。固定用部材２４ｄの前面と後面は、２つの貫通孔２４２ｄによって貫通され、各貫通孔２４２ｄの内壁は、固定用部材２４ｄの前面および後面と垂直する。一部の実施形態では、固定用部材２４ｄの２つの貫通孔２４２ｄは、互いに離間されている。各貫通孔２４２ｄは、密閉構造の円形で形成されているが、本発明は、これに限定されるものではない。貫通孔２４２ｄは、他の形状に形成されることもでき、および／または貫通孔２４２ｄは、開放構造に形成されることもできる。例えば、貫通孔２４２ｄは、図４に示された貫通孔２４２に類似の開放構造の弧状を有することができる。
【００５８】
接合部２４５ｄは、係合部２４３ｄに連結され、ベース２２ｄと係合されるように配置される。一部の実施形態では、接合部２４５ｄの幅は、係合部２４３ｄの幅より大きい。ベース２２ｄは、底面に形成された凹部２２９ｄおよび実装面２２７ｄに形成された貫通孔２３０ｄを含む。貫通孔２３０ｄは、凹部２２９ｄに接続する。固定用部材２４ｄをベース２２ｄに接合するとき、図１０に示されるように、固定用部材２４ｄは、矢印７に示された方法に沿って移動される。図１１に示されるように、係合部２４３ｄが貫通孔２３０ｄ内に挿入され、接合部２４５ｄが凹部２２９ｄ内に挿入されたとき、移動が停止する。固定用部材２４ｄがベース２２ｄに接合された後、２つの貫通孔２４２ｄは、実装面２２７ｂの上に配置され、２つの貫通孔２４２ｄの内壁は、ベース２２ｄによってカバーされない。
【００５９】
図１２は、別の実施形態に係るレンズ駆動モジュール１ｅの部分素子の概略図を示している。図１２に示された実施形態では、図７に示された構成要素と類似した構成要素は、同じ参照番号が提供され、且つその特徴は、説明を簡易にするために再度述べられない。
【００６０】
レンズ駆動モジュール１ｅとレンズ駆動モジュール１ｂの間の違いは、側部ハウジング部材１０２ｅによって置き換えられた側部ハウジング部材１０２を含む。
【００６１】
一部の実施形態では、実装孔１０４ｅは、ハウジング１０ｅの側部ハウジング部材１０２ｅ上に形成される。一部の実施形態では、ベース２２ｂは、次の方法によってハウジング１０ｅに接合される。まず、ベース２２ｂ上に配置された固定用部材２４ｂを有するベース２２ｂは、ハウジング１０ｅの下方からハウジング１０ｅ内に挿入され、固定用部材２４ｂの貫通孔２４２ｂをハウジング１０ｅの実装孔１０４ｅと整列させる。次いで、中間部材５０は、貫通孔２４２ｂを介して実装孔１０４ｅに提供される。このとき、中間部材５０は、毛細管現象により側部ハウジング部材１０２ｅと固定用部材２４ｂの間に形成された間隙Ｇ内に流入する。中間部材５０は、前面２４０ｂと内表面１０５ｅに接触している。
【００６２】
次いで、中間部材５０が硬化される。中間部材５０の硬化後、固定用部材２４ｂの前面２４０ｂは、中間部材５０によって側部ハウジング部材１０２ｅの内表面１０５ｅに安定して接合される。また、貫通孔２４２ｂを通過する中間部材５０の一部は、フックとして機能し、ベース２２ｂとハウジング１０ｅ間の接合強度を増加させる。従って、レンズ駆動モジュール１が衝撃を受けたとき、ベース２２ｂがハウジング１０から分離される、またはハウジング１０とオフセットする状態が生じるのを回避することができる。
【００６３】
図１３は、別の実施形態に係る、レンズ駆動モジュール１ｆの部分要素の概略図を示している。図１３に示された実施形態では、図１２に示された構成要素と類似した構成要素は、同じ参照番号が提供され、且つその特徴は、説明を簡易にするために再度述べられない。
【００６４】
ベース２２ｆは、本体２２２ｆと延伸部２２４ｆを含む。延伸部２２４ｆは、側面２２０ｆに隣接して配置され、本体２２２ｆから上方に突出する。凹部２２４１ｆは、延伸部２２４ｆに対応して側面２２０ｆの上に形成され、且つ凸部２２４３ｆは、側面２２０ｆ上に形成され、凹部２２４１ｆの上側壁に隣接して配置される。
【００６５】
一部の実施形態では、固定用部材２４ｆは、金属板であり、複数のセグメント、第１のセグメント２４６ｆ、第２のセグメント２４７ｆ、および第３のセグメント２４８ｆなどに曲げられている。第３のセグメント２４８ｆは、本体２２２ｆに埋設され、水平方向に延伸する。第２のセグメント２４７ｆは、第３のセグメント２４８ｆに連結され、垂直方向に延伸する。第１のセグメント２４６ｆは、第２のセグメント２４７ｆに連結し、水平方向の凹部２２４１ｆから凹部２２４１ｆの外側に延伸する。一部の実施形態では、第１のセグメント２４６ｆの長さは、凹部２２４１ｆの深さより大きい。従って、第１のセグメント２４６ｆの端面は、凹部２２４１ｆの外側に配置され、凸部２２４３ｆと同一平面に配置される。一部の実施形態では、第１のセグメント２４６ｆの上面２４６３ｆは、凹部２２４１ｆの上側壁によって当接され、凸部２２４３ｆによって当接される。また、第１のセグメント２４６ｆの厚さは、凹部２２４１ｆの幅より小さい。従って、凹部２２４１ｆは、第１のセグメント２４６ｆによって完全には占有されない。
【００６６】
留意すべきことは、図１３に示された固定用部材２４ｆの３つのセグメントは、互いに垂直に接続しているが、本発明はこれを限定するものではない。固定用部材のセグメントは、隣接のセグメントに対して０度より大きい、任意の角度を成すように形成されることができ、固定用部材のセグメントの数は、増加または減少されることができる。
【００６７】
一部の実施形態では、ベース２２ｆは、次の方法によってハウジング１０ｅに接続される。まず、ベース上に配置された固定用部材２４ｆを有するベース２２ｆは、ハウジング１０ｅの下方からハウジング１０ｅ内に挿入される。凸部２２４３ｆがハウジング１０ｅの実装孔１０４ｅと係合したとき、移動が停止する。このとき、凹部２２４１ｆは、実装孔１０４ｅに面する。次いで、中間部材５０は、実装孔１０４ｅを介して凹部２２４１ｆに提供される。このとき、中間部材５０は、毛細管現象により側部ハウジング部材１０２ｅとベース２２ｆの間に形成された間隙Ｇ内に流入する。従って、固定用部材２４ｆの端面２４６１ｆと底面２４６２ｆは、中間部材５０によってカバーされる。実施形態では、端面２４６１ｆは、固定用部材２４ｆの前面と呼ばれ、底面２４６２ｆは、固定用部材２４ｆの挟持面と呼ばれる。
【００６８】
次いで、中間部材５０が硬化される。中間部材５０の硬化後、ベース２２ｆは、固定用部材２４ｂの前面２４０ｂは、中間部材５０によって側部ハウジング部材１０２ｂの内表面１０５ｅに安定して接合される。また、固定用部材２４ｆの底面２４６２ｆをカバーする中間部材５０の一部は、フックとして機能し、ベース２２ｆとハウジング１０ｅ間の接合強度を増加させる。従って、レンズ駆動モジュール１ｆが衝撃を受けたとき、ベース２２がハウジング１０から分離される、またはハウジング１０とオフセットする状態が生じるのを回避することができる。
【００６９】
いくつかの実施形態に係る、ハウジングの実装孔の形状が以下に説明される。
【００７０】
一部の実施形態では、図１４に示されるように、ハウジング１０ｅの実装孔１０４ｅは、密閉構造の長方形で形成され、４つの丸角を含む。水平方向の実装孔１０４ｅの幅は、水平方向の固定用部材２４ｆの幅より大きい。
【００７１】
或いは、図１５に示されるように、ハウジング１０ｇの実装孔１０４ｅは、開放構造の貫通孔である。実装孔１０４ｇは、第１の領域１０４１ｇと第２の領域１０４２ｇを含む。第１の領域１０４１ｇは、ハウジング１０ｇの下縁部に接合し、第２の領域１０４２ｇは、第１の領域１０４１ｇに接合する。水平方向の第１の領域１０４１ｇの幅は、ハウジング１０ｅの下縁部から離れる方向に沿って徐々に減少する。水平方向の第２の領域１０４２ｇの幅は、水平方向の固定用部材２４ｆの幅より大きく、ベース２２とハウジング１０ｅの組み立てを容易にする。
【００７２】
本発明は、実施例の方法及び望ましい実施の形態によって記述されているが、本発明は開示された実施形態に限定されるものではない。逆に、当業者には自明の種々の変更及び同様の配置をカバーするものである。よって、添付の請求の範囲は、最も広義な解釈が与えられ、全てのこのような変更及び同様の配置を含むべきである。
【符号の説明】
【００７３】
１、  １ｂ、１ｅ、１ｆ  レンズ駆動モジュール
６、７  矢印
１０、１０ｅ  ハウジング
１０１  上部ハウジング部材
１０２、１０２ｅ  側部ハウジング部材
１０３  開口
１０４ｅ  実装孔
１０５、１０５ｅ  内表面
１２  上スプリングシート
１４  レンズ鏡筒
１４０  通路
１５  レンズ駆動アセンブリ
１６  磁性素子
１８  コイルアセンブリ
２０  下スプリングシート
２２、２２ａ、２２ｂ、２２ｃ、２２ｄ、２２ｆ  ベース
２２０、２２０ｂ、２２０ｆ  側面
２２２、２２２ｂ、２２２ｆ  本体
２２４、２２４ｆ  延伸部
２２４１ｆ  凹部
２２４３ｆ  凸部
２２３  開口
２２６ｂ  ブロック板
２２７ｂ、２２７ｃ、２２７ｄ  実装面
２２９ｄ  凹部
２３０ｄ  貫通孔
２４、２４ａ、２４ｂ、２４ｃ、２４ｄ、２４ｆ  固定用部材
２４０、２４０ｂ  前面
２４１、２４１ｂ  後面
２４２、２４２ａ、２４２ｂ、２４２ｃ、２４２ｄ  貫通孔
２４３ｂ、２４３ｃ、２４３ｄ  係合部
２４５ｂ、２４５ｃ、２４５ｄ  接合部
２４６ｆ  第１のセグメント
２４６１ｆ  端面（前面）
２４６２ｆ  底面（挟持面）
２４６３ｆ  上面
２４７ｆ  第２のセグメント
２４８ｆ  第３のセグメント
２４２１  第１のセグメント
２４２２  第２のセグメント
３０  レンズアセンブリ
５０  中間部材
Ｃ  軸線
Ｇ  間隙
【図１】
0006342976.tif 000002
【図２】
0006342976.tif 000003
【図３】
0006342976.tif 000004
【図４】
0006342976.tif 000005
【図５】
0006342976.tif 000006
【図６】
0006342976.tif 000007
【図７】
0006342976.tif 000008
【図８】
0006342976.tif 000009
【図９】
0006342976.tif 000010
【図１０】
0006342976.tif 000011
【図１１】
0006342976.tif 000012
【図１２】
0006342976.tif 000013
【図１３】
0006342976.tif 000014
【図１４】
0006342976.tif 000015
【図１５】
0006342976.tif 000016